(57)【要約】【課題】  本発明はタイマー再生時にユーザに音声を確実に聴取させるようにする。【解決手段】  オーディオ装置１に対する外部のヘッドフォン３０の接続状態または非接続状態を検出するヘッドフォン接続端子８の接続検出スイッチ８Ｂと、ヘッドフォン３０の非接続状態が検出された場合にはスピーカリレー１４により音声信号Ｓ６をスピーカ７へ供給して音声を出力させ、ヘッドフォン３０の接続状態が検出された場合にはミュート回路１７により音声信号Ｓ７を当該ヘッドフォン３０へ供給して音声を出力させて、またクロック回路１０Ａを用いて予め設定された指定時刻になったことを検出する制御部１０とを設け、さらに制御部１０により、指定時刻になったことが検出された場合にヘッドフォン３０の接続状態または非接続状態に拘わらずスピーカリレー１４によりスピーカ７へ音声信号Ｓ６を供給して当該スピーカ７から音声を出力させるようにした。【選択図】        図２
2006140974.tif 000002
【特許請求の範囲】
【請求項１】
装置本体に対する外部のヘッドフォンの接続状態または非接続状態を検出する接続検出手段と、
上記ヘッドフォンの非接続状態が検出された場合には所定の音声供給手段によりスピーカへ音声信号を供給して当該スピーカから音声を出力させ、上記ヘッドフォンの接続状態が検出された場合には上記音声供給手段により当該ヘッドフォンへ当該音声信号を供給して当該ヘッドフォンから音声を出力させる制御手段と、
予め設定された指定時刻になったことを検出する指定時刻検出手段と
を具え、
上記制御手段は、
上記指定時刻検出手段により上記指定時刻になったことが検出された場合、上記ヘッドフォンの接続状態または非接続状態に拘わらず上記供給手段により上記スピーカへ上記音声信号を供給して当該スピーカから音声を出力させる
ことを特徴とする音声出力装置。
【請求項２】
上記制御手段は、
上記指定時刻検出手段により上記指定時刻になったことが検出された場合、所定の音量調整手段により所定の音量レベルに調整された上記音声信号を上記音声供給手段により上記スピーカへ供給する
ことを特徴とする請求項１に記載の音声出力装置。
【請求項３】
予め設定された指定時刻になったことを検出する指定時刻検出ステップと、
装置本体に対する外部のヘッドフォンの接続状態または非接続状態を検出する接続検出ステップと、
上記ヘッドフォンの非接続状態が検出された場合に所定の音声供給手段によりスピーカへ音声信号を供給して当該スピーカから音声を出力させ、上記ヘッドフォンの接続状態が検出された場合に上記音声供給手段により当該ヘッドフォンへ当該音声信号を供給して当該ヘッドフォンから音声を出力させる制御ステップと
を具え、
上記制御ステップは、
上記指定時刻検出ステップにより上記指定時刻になったことが検出された場合、上記ヘッドフォンの接続状態または非接続状態に拘わらず上記供給手段により上記スピーカへ上記音声信号を供給して当該スピーカから音声を出力させる
ことを特徴とする音声出力方法。
【発明の詳細な説明】
【技術分野】
【０００１】
本発明は音声出力装置に関し、例えばＣＤ（Compact Disc）、ＭＤ（Mini Disc、商標）、ラジオ等の音声をスピーカまたは外部のヘッドフォンから出力するオーディオ装置に適用して好適なものである。
【背景技術】
【０００２】
従来、オーディオ装置においては、ユーザの操作に基づき、ＣＤメディアやＭＤメディア等を再生し、またラジオを受信する等して、これらのＣＤ、ＭＤ、及びラジオ（以下これらをソース（音源）と呼ぶ）の音声をスピーカから出力してユーザに聴取させるようになされている。
【０００３】
またオーディオ装置のなかには、現在時刻を取得するクロック回路を搭載することにより、ユーザに予め設定された予約時刻に予め設定されたソースの音声をスピーカから出力する、いわゆるタイマー再生機能を実現したものもある。
【０００４】
さらにオーディオ装置のなかには、外部のヘッドフォンを接続するためのヘッドフォン接続端子が設けられ、当該ヘッドフォン接続端子に当該ヘッドフォンが接続された場合、スピーカから音声を出力させずに当該ヘッドフォンのみから音声を出力させるようになされたものも提案されている（例えば、特許文献１参照）。
【特許文献１】特開平１０−３９８６９公報（第４頁、第１図）
【０００５】
このようなオーディオ装置は、ヘッドフォンの接続状態または非接続状態に応じて当該ヘッドフォンまたはスピーカのいずれから音声を出力するかを切り換えるようになされており、図４に示すフローチャートを用いて従来の音声出力切換処理手順ＲＴ１を説明する。
【０００６】
オーディオ装置は、電源が投入されておらず一部の制御回路等のみが稼動しているスタンバイモードで従来の音声出力切換処理手順ＲＴ１を開始してステップＳＰ１へ移る。ステップＳＰ１においてオーディオ装置は、ユーザによる電源オン操作を受け付けたか否かを判定し、ここで肯定結果が得られると電源オンモードに遷移するべくステップＳＰ３へ移り、一方否定結果が得られると次のステップＳＰ２へ移る。
【０００７】
ステップＳＰ２においてオーディオ装置は、クロック回路から現在時刻を取得して予約時刻になったか否かを判定する。ここで否定結果が得られると、オーディオ装置は再度ステップＳＰ１へ戻って当該ステップＳＰ１及びステップＳＰ２を繰り返すことにより、ユーザによる電源オン操作を受け付けるか予約時刻になるまでスタンバイモードのまま待機する。
【０００８】
一方ステップＳＰ２において肯定結果が得られると、このことは予約時刻になったためにタイマー再生を行う必要があることを表しており、このときオーディオ装置は次のステップＳＰ３へ移る。
【０００９】
ステップＳＰ３においてオーディオ装置は、スタンバイモードから電源オンモードに遷移して全回路を稼動させ、さらに予約時に設定されたソースに切り換えて、次のステップＳＰ４へ移る。
【００１０】
ステップＳＰ４においてオーディオ装置は、ヘッドフォンが接続されたことを検出したか否かを判定する。ここで肯定結果が得られると、このことはスピーカからではなくヘッドフォンからソースの音声を出力させる必要があることを表しており、このときオーディオ装置は次のステップＳＰ５へ移る。
【００１１】
ステップＳＰ５においてオーディオ装置は、スピーカから音声を出力させないようにすると共に、ヘッドフォン接続端子を介してヘッドフォンへ音声信号を送出することにより当該ヘッドフォンから音声を出力させ、次のステップＳＰ７へ移って従来の音声出力切換処理手順ＲＴ１を終了する。
【００１２】
一方ステップＳＰ４において否定結果が得られると、このことはヘッドフォンが接続されていないためにスピーカから音声を出力する必要があることを表しており、このときオーディオ装置は次のステップＳＰ６へ移る。
【００１３】
ステップＳＰ６においてオーディオ装置は、スピーカから音声を出力し、次のステップＳＰ７へ移って従来の音声出力切換処理手順ＲＴ１を終了する。
【発明の開示】
【発明が解決しようとする課題】
【００１４】
ところでかかる構成のオーディオ装置は、タイマー再生機能により予約時刻に各種ソースの音声をスピーカから出力することができるので、ユーザに目覚まし時計として使用される場合がある。
【００１５】
ここでオーディオ装置は、例えばユーザによりヘッドフォンを介して音声が聴取された後で当該ヘッドフォンが接続されたままであった場合、予約時刻になってもスピーカから音声を出力せずにヘッドフォンのみから音声を出力することになる。
【００１６】
このためオーディオ装置は、ヘッドフォンを装着しているとは限らないユーザに音声を聴取させ得ない可能性があり、タイマー再生機能を利用しても目覚まし時計としての役割を果たし得ないという問題があった。
【００１７】
本発明は以上の点を考慮してなされたもので、タイマー再生時にユーザに音声を確実に聴取させ得る音声出力装置を提案しようとするものである。
【課題を解決するための手段】
【００１８】
かかる課題を解決するため本発明の音声出力装置においては、装置本体に対する外部のヘッドフォンの接続状態または非接続状態を検出する接続検出手段と、ヘッドフォンの非接続状態が検出された場合には所定の音声供給手段によりスピーカへ音声信号を供給して当該スピーカから音声を出力させ、ヘッドフォンの接続状態が検出された場合には音声供給手段により当該ヘッドフォンへ当該音声信号を供給して当該ヘッドフォンから音声を出力させる制御手段と、予め設定された指定時刻になったことを検出する指定時刻検出手段とを設け、制御手段は、指定時刻検出手段により指定時刻になったことが検出された場合、ヘッドフォンの接続状態または非接続状態に拘わらず供給手段によりスピーカへ音声信号を供給して当該スピーカから音声を出力させるようにした。
【００１９】
これにより、指定時刻になった場合、ヘッドフォンの接続状態または非接続状態に拘わらずスピーカから音声を出力させることができるので、ヘッドフォンを装着していない可能性があるユーザに音声を確実に聴取させることができる。
【００２０】
また本発明の音声出力方法においては、予め設定された指定時刻になったことを検出する指定時刻検出ステップと、装置本体に対する外部のヘッドフォンの接続状態または非接続状態を検出する接続検出ステップと、ヘッドフォンの非接続状態が検出された場合に所定の音声供給手段によりスピーカへ音声信号を供給して当該スピーカから音声を出力させ、ヘッドフォンの接続状態が検出された場合に音声供給手段により当該ヘッドフォンへ当該音声信号を供給して当該ヘッドフォンから音声を出力させる制御ステップとを設け、制御ステップは、指定時刻検出ステップにより指定時刻になったことが検出された場合、ヘッドフォンの接続状態または非接続状態に拘わらず供給手段によりスピーカへ音声信号を供給して当該スピーカから音声を出力させるようにした。
【００２１】
これにより、指定時刻になった場合、ヘッドフォンの接続状態または非接続状態に拘わらずスピーカから音声を出力させることができるので、ヘッドフォンを装着していない可能性があるユーザに音声を確実に聴取させることができる。
【発明の効果】
【００２２】
本発明によれば、指定時刻になった場合、ヘッドフォンの接続状態または非接続状態に拘わらずスピーカから音声を出力させることができるので、ヘッドフォンを装着していない可能性があるユーザに音声を確実に聴取させ得る音声出力装置及び音声出力方法を実現できる。
【発明を実施するための最良の形態】
【００２３】
以下、図面について、本発明の一実施の形態を詳述する。
【００２４】
（１）オーディオ装置の全体構成
図１において、１は全体として本発明によるオーディオ装置の全体構成を示しており、音声データが記録されたＣＤメディアやＭＤメディア等（図示せず）の音声を再生し、またラジオ放送を受信する等して、これらのＣＤ、ＭＤ、及びラジオ（以下これらをソース（音源）と呼ぶ）の音声をユーザに聴取させるようになされている。
【００２５】
オーディオ装置１は、操作部２を介してユーザからのいずれかのソースを選択する操作指示を受け付けると、ＣＤドライブ部３に装填されたＣＤメディアまたはＭＤドライブ部４に装填されたＭＤメディアから音声データを読み出し復号処理等により音声信号を再生し、あるいはラジオチューナ部５（図２を用いて後述する）により放送波を受信し復調して音声信号を生成し、そのときの再生時間や受信周波数等を表示部６に表示させると共に、選択されたソースの音声信号を基にスピーカ７Ｌ及び７Ｒから音声を出力する。
【００２６】
またオーディオ装置１は、外部のヘッドフォン３０を接続するためのヘッドフォン接続端子８を有しており、当該ヘッドフォン３０の接続コネクタ３２が当該ヘッドフォン接続端子８に接続された場合、ユーザに選択されたソースの音声信号を当該ヘッドフォン３０へ送出することにより、当該ヘッドフォン３０を装着したユーザに当該選択されたソースの音声を聴取させるようになされている。
【００２７】
（２）オーディオ装置の回路構成
図２に示すように、オーディオ装置１は、ＣＰＵ（Central Processing Unit）構成でなる制御部１０によって全体を統括制御するようになされており、ＣＤドライブ部３によりＣＤメディアから読み出した音声データに基づく音声信号Ｓ１、ＭＤドライブ部４によりＭＤメディアから読み出した音声データに基づく音声信号Ｓ２及びラジオチューナ部５により受信した放送波に基づく音声信号Ｓ３をそれぞれソース切換器１１へ供給する。
【００２８】
なおオーディオ装置１においては、実際上ＣＤドライブ部３、ＭＤドライブ部４及びラジオチューナ部５からそれぞれ左右２チャンネルの音声信号Ｓ１〜Ｓ３を出力するようになされているが、説明の都合上、図２では一方のチャンネルについてのみ示している。また以降の信号及び回路についても同様に一方のチャンネルについてのみ示している。
【００２９】
制御部１０は、商用電源（図示せず）に接続された時点で当該制御部１０のみが動作するスタンバイモードに遷移し、ユーザによる電源オン操作を待ち受ける。その後制御部１０は、このスタンバイモードにおいて操作部２を介してユーザによる電源オン操作を受け付けると、電源オンモードに遷移して他の全ての回路を動作させるようになされている。
【００３０】
ちなみに制御部１０は、電源オンモードにおいてユーザにより電源オフ操作を受け付けると、当該制御部１０以外の他の回路を停止させて再度スタンバイモードに遷移するようになされている。
【００３１】
制御部１０は、操作部２を介してユーザによるソース選択操作を受け付け、これに応じてソース切換信号Ｃ１をソース切換器１１へ送出する。
【００３２】
ソース切換器１１は、音声信号Ｓ１〜Ｓ３のうちソース切換信号Ｃ１に応じた音声信号を選択し、これを音声信号Ｓ４として音量・音質調整回路１２へ供給する。
【００３３】
また制御部１０は、操作部２を介してユーザによる音量レベル及び音質を調整する操作を受け付けるようになされており、これに応じて音量・音質制御信号Ｃ２を音量・音質調整回路１２へ送出する。
【００３４】
音量・音質調整回路１２は、音量・音質制御信号Ｃ２に基づき、音声信号Ｓ４の音量レベル及び音質を調整して音声信号Ｓ５を生成し、これをスピーカアンプ１３及びヘッドフォンアンプ１６へ供給する。
【００３５】
スピーカアンプ１３は音声信号Ｓ５を所定の増幅率で増幅することにより音声信号Ｓ６を生成し、これをスピーカリレー１４へ供給する。
【００３６】
スピーカリレー１４は、制御部１０からのリレー制御信号Ｃ４に基づき、スピーカアンプ１３から供給された音声信号Ｓ６をスピーカ７（７Ｌ及び７Ｒ）へ供給し、あるいは当該音声信号Ｓ６を遮断して当該スピーカ７へ供給しないようになされている。
【００３７】
これによりスピーカ７は、スピーカリレー１４から音声信号Ｓ６が供給されているときのみ当該音声信号Ｓ６に基づく音声を出力してユーザに聴取させる。
【００３８】
一方ヘッドフォンアンプ１６は、音声信号Ｓ５をヘッドフォン３０（図１）に適した音量レベルに増幅した音声信号Ｓ７を生成し、これをミュート回路１７へ供給する。
【００３９】
ミュート回路１７は、スピーカリレー１４と同様に、制御部１０からのミュート制御信号Ｃ５に基づき、ヘッドフォンアンプ１６から供給された音声信号Ｓ７をヘッドフォン接続端子８の端子部８Ａへ供給し、あるいは当該音声信号Ｓ７を遮断して当該ヘッドフォン接続端子８の端子部８Ａへ供給しない（すなわちミュートする）ようになされている。
【００４０】
これにより、ミュート回路１７からヘッドフォン接続端子８へ音声信号Ｓ７を供給している場合、当該ヘッドフォン接続端子８にヘッドフォン３０（図１）が接続されていれば、当該ヘッドフォン３０から当該音声信号Ｓ７に基づいた音声を出力することができ、当該ヘッドフォン３０を装着しているユーザに当該音声を聴取させることができる。
【００４１】
ところでヘッドフォン接続端子８には、ヘッドフォン３０が接続されているか否かを検出する接続検出スイッチ８Ｂが設けられており、当該ヘッドフォン接続端子８の端子部８Ａにヘッドフォン３０（図１）の接続コネクタ３２が接続されると（以下これを接続状態と呼ぶ）、当該接続検出スイッチ８Ｂは、当該ヘッドフォン３０が接続されたことを検出してヘッドフォン検出信号Ｄ１を制御部１０へ送出するようになされている。
【００４２】
これにより制御部１０は、ヘッドフォン接続端子８にヘッドフォン３０が接続されたことを認識することができる。
【００４３】
なお制御部１０は、基本的な動作として、ヘッドフォン検出信号Ｄ１に応じてスピーカリレー１４及びミュート回路１７を制御することにより、ヘッドフォン３０が接続されていない非接続状態ではスピーカ７から音声を出力させ、一方接続状態ではスピーカ７からの音声の出力を停止させると共にヘッドフォン接続端子８を介して当該ヘッドフォン３０のみから音声を出力させるようになされている。
【００４４】
ちなみに制御部１０は、スタンバイモードから電源オンモードに遷移した直後に各回路が起動してから安定動作するまでの間（例えば５秒間）、リレー制御信号Ｃ４及びミュート制御信号Ｃ５によりスピーカリレー１４及びミュート回路１７を制御することにより、一時的にスピーカ７及びヘッドフォン３０からノイズを出力させないようになされている。
【００４５】
このようにオーディオ装置１は、スタンバイモードから電源オンモードに遷移すると、制御部１０の制御に基づき、ユーザに指示されたソースの音声をスピーカ７またはヘッドフォン３０から出力するようになされている。
【００４６】
ところで制御部１０は、内部にクロック回路１０Ａを有しており、当該クロック回路１０Ａから現在時刻を取得し、ユーザの操作等に応じて当該現在時刻を表示部６に表示し得るようになされている。
【００４７】
さらに制御部１０は、当該クロック回路１０Ａを利用していわゆるタイマー再生を行うようになされており、ユーザに予約時刻やソースの種類等を予め設定させて所定の記憶部（図示せず）に記憶しておくことにより、当該予約時刻になった時点で、予め設定された種類のソースの音声を再生して（すなわちＣＤまたはＭＤを再生して、あるいはラジオを受信して）出力するようになされている。
【００４８】
ちなみに制御部１０は、スタンバイモードであっても現在時刻を監視しており、予約時刻になった時点で自動的にスタンバイモードから電源オンモードに遷移してタイマー再生を行うようになされている。
【００４９】
（３）音声出力切換処理
ところでオーディオ装置１の制御部１０は、ヘッドフォン３０の接続状態または非接続状態のいずれであるかのみでなく、予約時刻になったか否かにも応じて、スピーカ７またはヘッドフォン３０のいずれから音声を出力するかを切り換えるようになされており、このときの音声出力切換処理手順ＲＴ２について、図３のフローチャートを用いて説明する。
【００５０】
制御部１０は、オーディオ装置１（図２）に商用電源が供給された時点でスタンバイモードに遷移すると共に音声出力切換処理手順ＲＴ２を開始し、ステップＳＰ１１へ移る。ステップＳＰ１１において制御部１０は、操作部２（図２）を介してユーザによる電源オン操作を受け付けたか否かを判定する。ここで否定結果が得られると、このことはユーザによる電源オン操作をまだ受け付けていないことを表しており、このとき制御部１０は次のステップＳＰ１２へ移る。
【００５１】
ステップＳＰ１２において制御部１０は、クロック回路１０Ａ（図２）から現在時刻を取得し、予約時刻になったか否かを判定する。ここで否定結果が得られると、このことはまだ予約時刻になっていないことを表しており、このとき制御部１０は再度ステップＳＰ１１へ戻り、当該ステップＳＰ１１及びステップＳＰ１２を繰り返すことにより、ユーザによる電源オン操作を受け付けるかまたは予約時刻になるまでスタンバイモードのまま待機する。
【００５２】
一方ステップＳＰ１２において肯定結果が得られると、このことは予約時刻になったためにスタンバイモードから電源オンモードに遷移してタイマー再生を行う、すなわち予約時に設定されたソースを再生してその音声を出力する必要があることを表しており、このとき制御部１０は次のステップＳＰ１３へ移る。
【００５３】
ステップＳＰ１３において制御部１０は、スタンバイモードから電源オンモードに遷移させることによりオーディオ装置１の各回路を起動して次のステップＳＰ１４へ移る。
【００５４】
ステップＳＰ１４において制御部１０は、ソース切換信号Ｃ１をソース切換器１１（図２）へ送出することにより予約時に設定されたソースに切り換えさせると共に、音量・音質調整回路１２（図２）へ音量・音質制御信号Ｃ２を送出することにより所定のタイマー再生音量レベルに変更させる。その後制御部１０は、ヘッドフォン３０の接続状態に拘わらずスピーカ７から音声を出力させるべく、次のステップＳＰ１８へ移る。
【００５５】
ちなみにこのタイマー再生音量レベルは、一般的な楽曲等の音声をスピーカ７から出力した際に、ユーザが確実に聴取し得る程度の音量レベルに予め設定されている。
【００５６】
一方、ステップＳＰ１１において肯定結果が得られると、制御部１０は次のステップＳＰ１５へ移る。
【００５７】
ステップＳＰ１５において制御部１０は、スタンバイモードから電源オンモードに遷移させることによりオーディオ装置１の各回路を起動し、前回電源オンモードであったときに選択されていたソース及び設定されていた音量レベルをそのまま変更せずに次のステップＳＰ１６へ移る。
【００５８】
ステップＳＰ１６において制御部１０は、ヘッドフォン接続端子８の接続検出スイッチ８Ｂ（図２）から送出されるヘッドフォン検出信号Ｄ１に基づき、接続状態または非接続状態のいずれであるかを判定する。ここで肯定結果が得られると、このことはヘッドフォン接続端子８にヘッドフォン３０が接続された接続状態であるため、スピーカ７からではなく当該ヘッドフォン３０からソースの音声を出力させる必要があることを表しており、このとき制御部１０は次のステップＳＰ１７へ移る。
【００５９】
ステップＳＰ１７において制御部１０は、リレー制御信号Ｃ４をスピーカリレー１４（図２）へ送出してスピーカ７への音声信号Ｓ６の供給を遮断することにより当該スピーカ７からの音声の出力を停止させると共に、ミュート制御信号Ｃ５をミュート回路１７へ送出することにより音声信号Ｓ７をヘッドフォン接続端子８へ供給させ、当該ヘッドフォン接続端子８を介して当該音声信号Ｓ７をヘッドフォン３０へ送出させることにより当該ヘッドフォン３０から音声を出力させて、次のステップＳＰ１９へ移る。
【００６０】
一方ステップＳＰ１６において否定結果が得られると、このことはヘッドフォン３０がヘッドフォン接続端子８に接続されていない非接続状態であるため、スピーカ７から音声を出力する必要があることを表しており、このとき制御部１０は次のステップＳＰ１８へ移る。
【００６１】
ステップＳＰ１８において制御部１０は、リレー制御信号Ｃ４によりスピーカリレー１４（図２）を制御して音声信号Ｓ６をスピーカ７へ供給させ、当該スピーカ７から音声を出力させて、次のステップＳＰ１９へ移る。
【００６２】
ちなみに制御部１０は、このとき敢えてミュート回路１７によるミュートを行わないため、タイマー再生時にヘッドフォン３０がヘッドフォン接続端子８に接続されたままの状態であれば、当該ヘッドフォン３０からも音声を出力させる。
【００６３】
ステップＳＰ１９において制御部１０は、ステップＳＰ１２と同様に、クロック回路１０Ａ（図２）から現在時刻を取得し、次の予約時刻になったか否かを判定する。ここで否定結果が得られると、このことはまだ次の予約時刻になっていないことを表しており、このとき制御部１０は当該ステップＳＰ１９を繰り返すことにより、次の予約時刻になるまで待機する。
【００６４】
一方ステップＳＰ１９において肯定結果が得られると、このことは次の予約時刻になったことを表しており、このとき制御部１０はステップＳＰ１４へ戻り、当該ステップＳＰ１４以降の処理を再度繰り返すことにより次のタイマー再生を行う。
【００６５】
このため制御部１０は、既に電源オンモードであったとしても、スタンバイモードであった場合と同様にタイマー再生を行うことができる。
【００６６】
ちなみに制御部１０は、ユーザにより操作部２を介して電源オフ操作を受け付けた時点でこの音声出力切換処理手順ＲＴ２を終了して、当該制御部１０以外の回路の動作を停止させて再度スタンバイモードに遷移するようになされている。
【００６７】
（４）動作及び効果
以上の構成において、オーディオ装置１の制御部１０は、ユーザにより予め設定された予約時刻になった場合、スタンバイモードから電源オンモードに遷移して、ヘッドフォン３０の接続状態または非接続状態に拘わらず、予め設定されたソースの音声を所定のタイマー再生音量レベルでスピーカ７から出力させることによりタイマー再生を行う。
【００６８】
従ってオーディオ装置１は、例えば目覚まし時計代わりにタイマー再生機能を利用したいユーザが、ヘッドフォン３０をヘッドフォン接続端子８に接続したまま当該ヘッドフォン３０を装着していなかった場合であっても、予約時刻にスピーカ７から音声を出力することができるので、当該ユーザに当該音声を確実に聴取させることができ、目覚まし時計代わりの役目を確実に果たすことができる。
【００６９】
このときオーディオ装置１は、ヘッドフォン接続端子８に接続されたヘッドフォン３０からも音声を出力させているので、ユーザがヘッドフォン３０を装着していれば、より確実に音声を聴取させることができる。
【００７０】
またオーディオ装置１の制御部１０は、タイマー再生ではなくユーザの電源オン操作によって起動した場合、ヘッドフォン３０がヘッドフォン接続端子８に接続されていれば当該ヘッドフォン３０から、また当該ヘッドフォン３０が当該ヘッドフォン接続端子８に接続されていなければスピーカ７から、それぞれ音声を出力させる。
【００７１】
従ってオーディオ装置１は、タイマー再生時以外には、ヘッドフォン３０の接続状態または非接続状態をユーザの意思表示として認識することにより、当該ユーザの意思に合わせてヘッドフォン３０またはスピーカ７のいずれかに切り換えて音声を出力することができる。
【００７２】
さらにオーディオ装置１の制御部１０は、スタンバイモードのみでなく電源オンモードであったとしても、予約時刻になればヘッドフォン３０の接続状態に拘わらずスピーカ７から音声を出力することができる。
【００７３】
従ってオーディオ装置１は、例えばユーザがヘッドフォン３０を介してＣＤの再生音声を聴取した後、ユーザが当該ヘッドフォン３０を取り外し忘れ且つ電源をオフにすることも忘れているものの、当該ユーザが勘違いをしてヘッドフォン３０を取り外し且つ電源をオフにしたつもりでいるような場合であっても、予約時刻になれば、予め設定されたソースの音声をスピーカ７から出力することができるので、当該ユーザに当該音声を確実に聴取させることができる。
【００７４】
そのうえオーディオ装置１の制御部１０は、タイマー再生時には直前の音量レベルに拘わらず、タイマー再生音量レベルに変更した音声をスピーカ７から出力するので、仮に直前に小さい音量レベルに設定されていたとしても、ユーザが確実に聴取し得るタイマー再生音量レベルの音声を当該ユーザに聴取させることができる。
【００７５】
以上の構成によれば、オーディオ装置１は、ユーザにより予め設定された予約時刻になった場合、ヘッドフォン３０の接続状態または非接続状態に拘わらず、予め設定されたソースの音声を所定のタイマー再生音量レベルでスピーカ７から出力させることにより、タイマー再生時に当該ヘッドフォン３０がヘッドフォン接続端子８に接続されたままであっても当該スピーカ７から音声を出力することができるので、ユーザに当該音声を確実に聴取させることができる。
【００７６】
（５）他の実施の形態
なお上述の実施の形態においては、タイマー再生時にはヘッドフォン３０の接続状態または非接続状態に拘わらず一律にスピーカ７から音声を出力するようにした場合について述べたが、本発明はこれに限らず、例えばユーザに予め設定させておくことにより、ユーザの操作によって電源オンモードにされた場合と同様に、タイマー再生時にもヘッドフォン３０の接続状態には当該ヘッドフォン３０から、また非接続状態にはスピーカ７からそれぞれ音声を出力するように切り換え得るようにしても良い。
【００７７】
また上述の実施の形態においては、タイマー再生時のみヘッドフォン３０の接続状態または非接続状態に拘わらず一律にスピーカ７から音声を出力するようにした場合について述べたが、本発明はこれに限らず、例えば予約時刻に所定のラジオ放送局等から放送される番組を受信してＭＤに録音するタイマー録音時にも、当該ヘッドフォン３０の接続状態または非接続状態に拘わらず一律にスピーカ７から音声を出力するようにしても良い。
【００７８】
さらに上述の実施の形態においては、タイマー再生時にオーディオ装置１に内蔵するソース（ＣＤ、ＭＤ、ラジオ）のいずれかの音声をスピーカ７から出力するようにした場合について述べたが、本発明はこれに限らず、当該オーディオ装置１に外部のＤＶＤプレーヤ等から入力された音声をスピーカ７から出力するようにしても良い。この場合、外部のＤＶＤプレーヤ等においてもタイマー再生の設定をしておくか、あるいは当該オーディオ装置１と連動して動作させる等すると良い。
【００７９】
さらに上述の実施の形態においては、タイマー再生時のタイマー再生音量レベルが予め固定されているようにした場合について述べたが、本発明はこれに限らず、当該タイマー再生音量レベルをユーザに予め設定させるようにし、あるいはタイマー再生時に直前の音量レベルから変更しないようにしても良い。
【００８０】
さらに上述の実施の形態においては、音声のみを出力するオーディオ装置１に本発明を適用するようにした場合について述べたが、本発明はこれに限らず、例えば音声及び映像の両方を出力し得ると共にスピーカから音声を出力し得、さらにヘッドフォン接続端子を有するテレビジョン装置やパーソナルコンピュータ等、あるいはＰＤＡ（Personal Digital Assistant）や携帯電話機等に適用するようにしても良い。
【００８１】
さらに上述の実施の形態においては、接続検出手段としての接続検出スイッチ８Ｂと、制御手段及び指定時刻検出手段としての制御部１０とによって音声出力装置としてのオーディオ装置１を構成する場合について述べたが、本発明はこれに限らず、その他種々の回路構成でなる接続検出手段と、制御手段と、指定時刻検出手段とによって音声出力装置を構成するようにしても良い。
【産業上の利用可能性】
【００８２】
本発明は、音声のみを出力するオーディオ装置以外にも、音声及び映像を出力し得るテレビジョン装置や携帯電話機等でも利用できる。
【図面の簡単な説明】
【００８３】
【図１】本発明によるオーディオ装置の全体構成を示す略線図である。
【図２】オーディオ装置の回路構成を示すブロック図である。
【図３】音声出力切換処理手順を示すフローチャートである。
【図４】従来の音声出力切換処理手順を示すフローチャートである。
【符号の説明】
【００８４】
１……オーディオ装置、７（７Ｌ、７Ｒ）……スピーカ、８……ヘッドフォン接続端子、８Ｂ……接続検出スイッチ、１０……制御部、１０Ａ……クロック回路、１２……音量・音質調整回路、１４……スピーカリレー、１７……ミュート回路、３０……ヘッドフォン。
【図１】
2006140974.tif 000003
【図２】
2006140974.tif 000004
【図３】
2006140974.tif 000005
【図４】
2006140974.tif 000006